(57)【特許請求の範囲】
【請求項１】
便器の排水口が嵌合する便器接続部と、排水管が嵌合する排水管接続部とを備えた便器の排水ソケットにおいて、上記排水管接続部には複数の異径の排水管の外周面と各々嵌合する複数の接続筒状部が同軸状に配設され、上記複数の接続筒状部の最内側の接続筒状部の内周面部に嵌合する排水管との間隙に洗浄水の侵入を遮蔽する間隙遮蔽部を備え、この間隙遮蔽部は前記排水管接続部と一体に形成され、また前記間隙遮蔽部は前記排水管を前記接続筒状部に嵌合した状態で前記排水管の上端部及び内側面に覆い被さるように設けられ、また前記間隙遮蔽部は前記接続される排水管の内側で上端部より下方に延設した延設部を備え、また前記間隙遮蔽部の上部に面取り部を設けるとともに、一部に棚部を設けていることを特徴とする便器の排水ソケット。
【発明の詳細な説明】
【０００１】
【発明の属する技術分野】
本発明は便器本体の排水口と下水管につながる排水管との間に設けられる排水ソケットに関する。
【０００２】
【従来の技術】
従来の排水ソケットの構造を図１７及びこの拡大図である図１８に基づいて説明すると、排水ソケット１００は便器本体１０１の排水口１０２が嵌合する便器接続部１０３と、接続用パッキン１０３ａと、下水につながる排水管１０４が嵌合する排水管接続部１０５を備えている。
そして、排水管１０４には大径のものと小径のものがあるので、それぞれの径に合せて排水管が嵌合する筒状部１０６，１０７を排水管接続部１０５に形成している。
尚、筒状部１０６，１０７に排水管１０４を嵌合するにあたっては、筒状部の内側に予め接着剤を塗布しておく。
【０００３】
図１９は従来の排水ソケットの別の例を示す図であり、この従来例にあっては、内側の筒状部１０７の上端部に内方へのフランジ部１０８を形成している。そしてこの場合、フランジ部１０８の内径と排水口１０２の内径が等しくなるようにしている。
【０００４】
【発明が解決しようとする課題】
上述した従来の排水ソケットには複数の解決すべき課題がある。先ず、第１に内側の筒状部１０７にて排水管１０４を外径拘束して保持する場合には、便器からの洗浄水が筒状部１０７と排水管１０４との間に侵入し、漏水を引き起こすことがある。
【０００５】
第２に、排水管接続部の構造を二重構造とし、外側の筒状部１０６に大径の排水管を嵌合する場合には、外側の筒状部１０６の内側に接着剤を予め塗布しておかなければならないが、内側の筒状部１０７が邪魔になって接着剤が偏ってしまう。
【０００６】
第３に、少ない洗浄水で水洗効果を十分に発揮し、汚物の逆戻りを防止するには、排水ソケットに更に大きなサイホン発生機能が要求される。
【０００７】
【課題を解決するための手段】
上記課題を解決すべく本発明をなしたものであり、このため、請求項１に記載した排水ソケットは、便器の排水口が嵌合する便器接続部と、排水管が嵌合する排水管接続部とを備えた便器の排水ソケットにおいて、上記排水管接続部には複数の異径の排水管の外周面と各々嵌合する複数の接続筒状部が同軸状に配設され、上記複数の接続筒状部の最内側の接続筒状部の内周面部に嵌合する排水管との間隙に洗浄水の侵入を遮蔽する間隙遮蔽部材を備え、この間隙遮蔽部は前記排水管接続部と一体に形成され、また前記間隙遮蔽部は前記排水管を前記接続筒状部に嵌合した状態で前記排水管の上端部及び内側面に覆い被さるように設けられ、また前記間隙遮蔽部は前記接続される排水管の内側で上端部より下方に延設した延設部を備え、また前記間隙遮蔽部の上部に面取り部を設けるとともに、一部に棚部を設けた。このような構成とすることで、間隙遮蔽部材によって、便器の排水口からの洗浄水が接続筒状部の内周面部とそれに嵌合する排水管との間隙に侵入することが防止される。
【０００８】
尚、排水管接続部に複数の筒状部を同心状に設けた場合には、最内側の筒状部の更に内側に間隙遮蔽部を設けることになる。
【００１８】
【発明の実施の形態】
以下に本発明の実施の形態を添付図面に基づいて説明する。図１は本発明に係る便器の排水ソケットを適用した便器の断面図であり、排水ソケットは便器１の排水口２が嵌合する便器接続部３と、下水管につながる排水管が嵌合する排水管接続部４を備えている。
【００１９】
便器接続部３には接続用パッキン３ａが設けられ、排水管接続部４には、大径の排水管５ａが外径拘束される筒状部４ａと、小径の排水管５ｂが外径拘束される筒状部４ｂが同心状に形成され、内側の筒状部４ｂの更に内側に間隙遮蔽部６が形成されている。この間隙遮蔽部６が存在することで、筒状部４ｂと小径の排水管５ｂの間に洗浄水が侵入することが防止される。
【００２０】
図２乃至図７は排水ソケットの別実施例を示す図であり、このうち、図２に示す実施例は、排水管接続部４が排水管を外径拘束する筒状部を兼ねており、この排水管接続部４の内側に漏水を防止するための間隙遮蔽部６を設けている。
【００２１】
また、図３に示す排水ソケットは、排水管接続部４に筒状部４ａ、筒状部４ｂ及び間隙遮蔽部６を設けるとともに、内側の筒状部４ｂの寸法を外側の筒状部４ａの寸法よりも短く設定している。外側の筒状部４ａにて大径の排水管５ａを保持する場合には、予め、外側の筒状部４ａの内周面に接着剤を塗布する必要があるが、この実施例のように内側の筒状部４ｂの寸法を短く設定することで、外側の筒状部４ａの内周面に対する接着剤の塗布が容易になる。
【００２２】
また、図４に示す排水ソケットは、内側の筒状部４ｂと外側の筒状部４ａの寸法を等しくし、内側の筒状部４ｂに切欠７を形成している。この切欠７から刷毛等を挿入することで、外側の筒状部４ａの内周面に簡単に接着剤を塗布することができる。
【００２３】
また、図５に示す排水ソケットは、内側の筒状部４ｂと外側の筒状部４ａの寸法を等しくするとともに、内側の筒状部４ｂの内側に間隙遮蔽部６を設け、内側の筒状部４ｂに切欠７を形成し、間隙遮蔽部６に切欠８を形成している。このようにすることで、間隙遮蔽部６を設けた場合でも簡単に内側の筒状部４ｂの内側に接着剤を塗布することができる。
【００２４】
図６及び図７に示す排水ソケットは、間隙遮蔽部６の上部に面取り部６ａを設けるとともに、一部に棚部６ｂを設けている。このように洗浄水が衝突する棚部６ｂを設けることでサイホン現象が誘発されやすくなる。尚、棚部６ｂを全周に設けた場合には、汚物が引っ掛かりやすくなるので、一部に設ける方が好ましい。
【００２５】
図８（ａ）〜（ｄ）は水洗機能を高める排水口と排水ソケットの組み合わせ例を示す図であり、図８（ａ）に示す構造は、便器本体の排水口２の下端に絞り部９を設け、また、排水ソケットに排水管が外嵌する直管部１０を設け、絞り部９の内径（Ｄ’）を排水口２の内径（Ｄ）よりも小さくし、直管部１０の内径（ｄ）を絞り部９の内径（Ｄ’）以下としている。
【００２６】
また図８（ｂ）に示す構造は、直管部１０の軸線を排水口２の軸線から（ｅ）だけ偏心せしめ、同図（ｃ）に示す構造は、絞り部９の中心を排水口２の軸線から（Ｅ）だけ偏心せしめ、同図（ｄ）に示す構造は、直管部１０の軸線を排水口２の軸線から（ｅ）だけ偏心せしめるとともに絞り部９の中心を排水口２の軸線から（Ｅ）だけ偏心せしめている。ここで、具体的な数値例を挙げると、排水口２の内径（Ｄ）＝６０ｍｍ、絞り部９の内径（Ｄ’）＝５６ｍｍ、直管部１０の内径（ｄ）＝５５ｍｍ、直管部１０の長さ（Ｌ）＝７０ｍｍ、偏心量（ｅ）＝１ｍｍ、偏心量（Ｅ）＝２ｍｍである。
【００２７】
図８に示すように、排水口２の下端に絞り部９を設け、直管部１０の内径を絞り部９の内径以下とし、更に必要に応じて偏心させることで、洗浄水の流れに抵抗を与え、サイホンの持続時間を長くすることができ、従来の８割程度の水量で従来と同等の洗浄効果を発揮し得る。
【００２８】
図９乃至図１２は前記排水ソケットの直管部１０の別実施例を示し、各図の（ａ）は斜視図、（ｂ）は縦断面図である。これら各図に示すように、直管部１０の上部１０ａの内径を下部１０ｂの内径よりも大きく設定し、且つ上部１０ａと下部１０ｂの内側部の境界部１０ｃを斜めに形成することで、汚物や紙の詰りを低減することができる。尚、境界部１０ｃの形状は（図９）に示すような直線状、（図１０）に示すような上方に折曲した形状、（図１１）に示すような下方に折曲した形状、（図１２）に示すような段差状等任意である。
【００２９】
更に図１３乃至図１５は間隙遮蔽部６の別実施例を示すものであり、図１３に示す実施例にあっては、内側の筒状部４ｂ内側で小径の排水管５ｂを外径拘束するとともに、排水管５ｂ上端と筒状部４ｂ内側との間に間隙遮蔽部６としてのシール材を設けている。また、図１４に示す実施例にあっては、筒状部４ｂ内側の上端から斜め下方内側に向かって間隙遮蔽部６を設け、この間隙遮蔽部６で小径の排水管５ｂの上端を覆うようにしている。更に、図１５に示す実施例にあっては、内側の筒状部４ｂ内側で小径の排水管５ｂを外径拘束するとともに、排水管５ｂ上端が接する位置に間隙遮蔽部６としてのリング状パッキンを設けている。
【００３０】
更に、図１６は別実施例を示す図１と同様の図であり、この実施例にあっては、便器本体１、排水管接続部４の外側の筒状部４ａ、内側の筒状部４ｂを貫通して、一端部が内側の筒状部４ｂと間隙遮蔽部６の空間に開口し、他端部が配管外の大気に開放される通気管２００を設けている。このような構成とすることで、便器洗浄時のサイホン力に影響を及ぼさず水封切れやサイホン持続音（ゴボゴボ音）の発生を防止することができる。通気管２００の前記他端部の高さは、便器や配管が詰って洗浄汚水が通気管内を逆流して外部に漏れないように便器の溜水面位置よりも高く設定するのが好ましい。また、便器の排水ソケットに通気管２００を設けることにより、従来の建物側の配管に通気管を設ける方法に比べて工事が簡単になる。
【００３１】
【発明の効果】
以上に説明した如く本発明に係る排水ソケットによれば、排水管が嵌合する最内側の筒状部の内側に、間隙遮蔽部を設けたので、便器からの洗浄水が排水管と筒状部との間に侵入することがなく、漏水を防止することができる。
【００３２】
また、本発明に係る排水ソケットによれば、最内側の筒状部または間隙遮蔽部の長さを、それよりも外側の筒状部よりも短くするか、或いは最内側の筒状部または間隙遮蔽部に切欠を設けたので、外側の筒状部の内側に容易に接着剤を塗布することができる。
【００３３】
更に、本発明に係る排水ソケットによれば、排水ソケットの各部の寸法を適切に設定したので、サイホンの持続時間を長くでき、洗浄効果を高めることができる。
【図面の簡単な説明】
【図１】本発明に係る便器の排水ソケットを適用した便器の断面図
【図２】排水ソケットの別実施例を示す断面図
【図３】排水ソケットの別実施例を示す断面図
【図４】排水ソケットの別実施例を示す断面図
【図５】排水ソケットの別実施例を示す断面図
【図６】排水ソケットの別実施例を示す断面図
【図７】図６に示した排水ソケットの平面図
【図８】（ａ）〜（ｄ）は水洗機能を高める排水口と排水ソケットの組み合わせ例を示す図
【図９】（ａ）は汚物の詰まりを低減する排水ソケットの接続部の斜視図、（ｂ）は同接続部の断面図
【図１０】（ａ）は汚物の詰まりを低減する排水ソケットの接続部の斜視図、（ｂ）は同接続部の断面図
【図１１】（ａ）は汚物の詰まりを低減する排水ソケットの接続部の斜視図、（ｂ）は同接続部の断面図
【図１２】（ａ）は汚物の詰まりを低減する排水ソケットの接続部の斜視図、（ｂ）は同接続部の断面図
【図１３】間隙遮蔽部の別実施例を示す図
【図１４】間隙遮蔽部の別実施例を示す図
【図１５】間隙遮蔽部の別実施例を示す図
【図１６】別実施例を示す図１と同様の図
【図１７】従来の便器の排水ソケットの断面図
【図１８】図１７の要部拡大図
【図１９】従来の便器の排水ソケットの別タイプを示す図１４と同様の図
【符号の説明】
１…便器、２…便器の排水口、３…便器接続部、４…排水管接続部、４ａ…外側の筒状部、４ｂ…内側の筒状部、５ａ…大径の排水管、５ｂ…小径の排水管、６…間隙遮蔽部、６ａ…面取り部、６ｂ…棚部、７，８…切欠、９…絞り部、１０…排水ソケットの直管部。
【図１】
0003644220.tif 000002
【図２】
0003644220.tif 000003
【図３】
0003644220.tif 000004
【図４】
0003644220.tif 000005
【図５】
0003644220.tif 000006
【図６】
0003644220.tif 000007
【図７】
0003644220.tif 000008
【図８】
0003644220.tif 000009
【図９】
0003644220.tif 000010
【図１０】
0003644220.tif 000011
【図１１】
0003644220.tif 000012
【図１２】
0003644220.tif 000013
【図１３】
0003644220.tif 000014
【図１４】
0003644220.tif 000015
【図１５】
0003644220.tif 000016
【図１６】
0003644220.tif 000017
【図１７】
0003644220.tif 000018
【図１８】
0003644220.tif 000019
【図１９】
0003644220.tif 000020